(57)【要約】【課題】  機械室レスエレベータの据付工事工法において、昇降路上部に設置されるエレベータ上部機器を、昇降路最下部で予め組立ててから昇降路上部へ吊り上げるようにしたエレベータ上部機器の下部組立て工法を得る。【解決手段】  上部かご側ガイドレール１０ｂと、上部おもり側ガイドレール１１ｂと、これら上部ガイドレール上端部間に配置され、昇降路１上部に配設固定される吊りビーム１４と、この吊りビームに水平に設けられ、昇降路上部に配設固定される返し車取り付け用梁１５と、この梁に取り付けられ、昇降路上部に配設固定される返し車１７とから成るエレベータ上部機器を、予め昇降路下部７において組立てた後、昇降路上部まで吊り上げて、昇降路上部に配設固定する。【選択図】    図１
2005187119.tif 000002
【特許請求の範囲】
【請求項１】
上部かご側ガイドレールと、上部おもり側ガイドレールと、これら上部ガイドレール上端部間に配置され、昇降路上部に配設固定される吊りビームと、この吊りビームに水平に設けられ、昇降路上部に配設固定される返し車取り付け用梁と、この梁に取り付けられ、昇降路上部に配設固定される返し車とから成るエレベータ上部機器を、予め昇降路下部において組み立てた後、昇降路上部まで吊り上げて、昇降路上部に配設固定することを特徴とするエレベータ上部機器の下部組立て工法。
【請求項２】
上部かご側ガイドレールと、上部おもり側ガイドレールと、これら上部ガイドレール上端部間に配置され、昇降路上部に配設固定される吊りビームと、この吊りビームに水平に設けられ、昇降路上部に配設固定される返し車取り付け用梁と、この梁に取り付けられ、昇降路上部に配設固定される返し車とから成るエレベータ上部機器、並びに前記上部かご側ガイドレール及び上部おもり側ガイドレールの下端部に取り付けられた作業床を、予め昇降路下部において組み立てた後、前記エレベータ上部機器と前記作業床を一緒に昇降路上部に吊り上げて、昇降路上部において作業床を仮固定した状態で、エレベータ上部機器を昇降路上部に配設固定することを特徴とするエレベータ上部機器の下部組立て工法。
【請求項３】
エレベータ上部機器を電動チェーンブロックにより昇降路上部まで吊り上げることを特徴とする請求項１又は請求項２記載のエレベータ上部機器の下部組立て工法。
【請求項４】
昇降路天井部の頂部フックに電動チェーンブロックを取り付けたことを特徴とする請求項３記載のエレベータ上部機器の下部組立て工法。
【請求項５】
最上階に支柱を固定し、この支柱の支持腕にフックを設け、このフックに電動チェーンブロックを取り付けたことを特徴とする請求項３記載のエレベータ上部機器の下部組立て工法。
【発明の詳細な説明】
【技術分野】
【０００１】
この発明は、エレベータ昇降路の天井付近に設置されるエレベータ上部機器を昇降路下部で予め組立てるエレベータ上部機器の下部組立て工法に関するものである。
【背景技術】
【０００２】
従来、昇降路底部に駆動機を配置し、昇降路最上部に返し車を配置した、いわゆる機械室レスエレベータの据付工事において、昇降路上部の機器取り付けは、予め、昇降路内の最上階付近に作業用足場を設置し、揚重用の梁を取り付けた後、返し車等の重量物を最上階乗場から取り込み、揚重用の梁に吊架したチェーンブロックによって揚重し、昇降路最上部の設置場所へ設置していた。  
また、他の従来技術としては、シーブを有する第１エレベータ機器にロープを掛け、第２上部プーリ、下部プーリを介してホイストで吊り上げてガイドレール上に設置し、次に、シーブを有する第２エレベータ機器にロープを掛け、上部プーリ、下部プーリを介してホイストで吊り上げ、一方を第１エレベータ機器に、他方を補強板を介してガイドレールに固定するエレベータ機器の吊り上げ装置が提案されている（例えば、特許文献１参照）。更にまた、揚重手段の煩雑な操作や、エレベータ部品に掛る水平方向の力を抑制する装置を要せずに、容易にかつ安全に比較的大きな重量のエレベータ部品を昇降路内の所定高さ位置まで搬入することができ、しかも昇降路内揚重作業に用いる受台の設置作業や撤去作業を迅速に行えるエレベータ部品の昇降路内揚重装置が提案されている（例えば、特許文献２参照）。
【０００３】
【特許文献１】特開２００２−３３２１７４号公報
【特許文献２】特開平１０−２１８５２８号公報
【発明の開示】
【発明が解決しようとする課題】
【０００４】
従来のエレベータ上部機器の設置方法では、作業足場の構築を最上階の高所でしなければならず、また揚重用梁の取り付けを作業者が重い梁を持ち上げるという労力を要し、また返し車や梁を所定場所へ配置するまでに、チェーンブロックの配置変えという面倒な作業が必要であるという問題点があった。
また、特許文献１記載のものは、改良されたとは言え、やはり昇降路最上部での取り付け作業が中心であった。また、特許文献２記載のものは、昇降路内揚重装置の改良に留まり、昇降路内上部でのエレベータ上部機器の取り付け作業には変更がなかった。
【０００５】
この発明は、上述のような課題を解決するためになされたもので、その目的は、機械室レスエレベータの据付工事工法において、昇降路上部に設置されるエレベータ上部機器を、昇降路最下部で予め組立ててから昇降路上部へ吊り上げるようにしたエレベータ上部機器の下部組立て工法を提供するものである。
【課題を解決するための手段】
【０００６】
この発明に係るエレベータ上部機器の下部組立て工法は、上部かご側ガイドレールと、上部おもり側ガイドレールと、これら上部ガイドレール上端部間に配置され、昇降路上部に配設固定される吊りビームと、この吊りビームに水平に設けられ、昇降路上部に配設固定される返し車取り付け用梁と、この梁に取り付けられ、昇降路上部に配設固定される返し車とから成るエレベータ上部機器を、予め昇降路下部において組立てた後、昇降路上部まで吊り上げて、昇降路上部に配設固定するようにしたものである。
【０００７】
また、上部かご側ガイドレールと、上部おもり側ガイドレールと、これら上部ガイドレール上端部間に配置され、昇降路上部に配設固定される吊りビームと、この吊りビームに水平に設けられ、昇降路上部に配設固定される返し車取り付け用梁と、この梁に取り付けられ、昇降路上部に配設固定される返し車とから成るエレベータ上部機器、並びに前記上部かご側ガイドレール及び上部おもり側ガイドレールの下端部に取り付けられた作業床を、予め昇降路下部において組立てた後、前記エレベータ上部機器を前記作業床と一緒に昇降路上部に吊り上げて、昇降路上部において作業床を仮固定した状態で、エレベータ上部機器を昇降路上部に配設固定するようにしたものである。
【発明の効果】
【０００８】
この発明によれば、昇降路最上部に設置する個々のエレベータ上部機器を、わざわざ最上階へ持ち上げるという手間が不要であるとともに、エレベータ上部機器を予め昇降路最下部で組立てるので、危険性が少なく安心して作業ができるエレベータ上部機器の下部組立て工法を提供することができる。また、昇降路最上部へ吊り上げた上部機器は、昇降路下部で予め設計基準で組立てるので、吊りビームを昇降路上部の所定位置へ固定するという簡単な作業で良く、不安定な最上階で個々の芯出し作業が不要であり、全体の作業時間が短縮できる。また、昇降路上部において作業床を仮固定した状態で据付作業ができるので、最上階での作業足場構築が不要となり、工事の安全性も大幅に向上する。
【発明を実施するための最良の形態】
【０００９】
実施の形態１．
図１はこの発明の実施の形態１におけるエレベータ上部機器を昇降路最下部で組立てている状態を示す側面図、図２はこの発明の実施の形態１におけるエレベータ上部機器を昇降路最上部に吊り上げた状態を示す側面図、図３はこの発明の実施の形態１におけるエレベータ上部機器を昇降路最上部で組立てている状態を示す側面図、図４はこの発明の実施の形態１におけるエレベータ上部機器を昇降路最上部で組立てている状態を示す平面図、図５はこの発明の実施の形態１におけるエレベータ上部機器を昇降路最上部で組立てている状態を示す正面図である。
【００１０】
図において、１はエレベータ昇降路、２は昇降路頂部の天井部、３はこの昇降路天井部２のコンクリート壁に固定された頂部フック、４はこの頂部フック３に上部フック４ａが引掛けられた電動チェーンブロックで、チェーン４ｂ及び下部フック４ｃを備えている。５は最上階、６は最下階、７は昇降路ピット、８は昇降路ピット７に設けられたかご側ガイドレールバッファ台、９は昇降路ピット７に設けられたおもり側ガイドレールバッファ台、１０ａは下部かご側ガイドレール、１０ｂは上部かご側ガイドレール、１１ａは下部おもり側ガイドレール、１１ｂは上部おもり側ガイドレール、１２は下部おもり側ガイドレール１０ｂ下端部及び上部おもり側ガイドレール１１ｂの下端部に取り付けられた作業床、１２ａは作業床１２を固定するための作業床固定具、１２ｂは作業床の安全柵、１３は電動チェーンブロック４により作業床１２を吊り上げる吊りロープ、１４は上部かご側ガイドレール１０ｂ上端部間及び上部おもり側ガイドレール１１ｂ上端部間にそれぞれ水平に配置固定された吊りビームで、エレベータ上部機器として昇降路上部に配設固定される。１５は上部かご用ガイドレール１０ｂ及び上部おもり用ガイドレール１１ｂ間に跨って設けられた返し車取り付け用梁で、上記吊りビーム１４から吊り下げられた吊りボルト１６により水平に配置されており、エレベータ上部機器として昇降路上部に配設固定される。１７は上記返し車取り付け用梁１５に取り付けられた返し車で、エレベータ上部機器として昇降路上部に配設固定される。１８は作業床１２の転倒防止用ロープ、１９は最上階５に立設固定された支柱で、この支柱１９の中間部には昇降路１内に向かって延びる支持腕２０が配置されている。従って、昇降路天井部２に頂部フック３が無い場合は、この支持腕２０の先端部にフック２０ａを設け、このフック２０ａに上記電動チェーンブロック４の上部フック４ａを取り付け、この電動チェーンブロック４により吊りロープ１３を用いて作業床１２を吊り上げる。２１は吊りビーム１４の上端部に設けられた天井ストッパーを兼ねる調整ボルトで、エレベータ上部機器を昇降路上部に配置した時に、天井部２に当接させて作業床１２に作業員が乗り込んだ際に作業床１２が傾かないように仮固定する。２２は作業床１２上に載置されたバランスウエイトで、作業床１２の吊り上げ時、バランスを取るために用いられるものである。
【００１１】
このように構成されたエレベータ上部機器の下部組立て工法においては、図１に示すように、先ず昇降路の最下部において、かご側ガイドレールバッファ台８、おもり側ガイドレールバッファ台９、下部かご側ガイドレール１０ａ、下部おもり側ガイドレール１１ａを組立てた後、作業床１２を組立てるとともに、下部おもり側ガイドレール１０ｂ下端部及び上部おもり側ガイドレール１１ｂの下端部に取り付けられた作業床１２を固定する。そして、上部かご側ガイドレール１０ｂ上端部間及び上部おもり側ガイドレール１１ｂ上端部間にそれぞれ吊りビーム１４を水平に配設固定し、この吊りビーム１４から吊り下げられた吊りボルト１６により上部かご側ガイドレール１０ｂ及び上部おもり側ガイドレール１１ｂ間に返し車取り付け用梁１５を水平に取り付ける。更にこの返し車取り付け用梁１５に返し車１７を取り付けることにより、エレベータ上部機器を昇降路下部で予め組立てる。次に、昇降路天井部２の頂部フック３又は最上階５に設けた支柱１９の支持腕２０のフック２０ａに電動チェーンブロック４の上部フック４ａを引掛け、電動チェーンブロック４の下部フック４ｃにより吊りロープ１３を介して作業床１２と一緒に、エレベータ上部機器、すなわち、吊りビーム１４、返し車取り付け用梁１５、返し車１７、上部かご用ガイドレール１０ｂ、上部おもり用ガイドレール１１ｂを昇降路下部で予め設計基準で組立てた状態で、図２又は図３に示す如く、電動チェーンブロック４にて昇降路上部まで吊り上げることができる。なお、作業床１２の吊り上げの際、吊りロープ１３とは別に、転倒防止用ロープ１７を電動チェーンブロック４の下部フック４ｂと、上部かご用ガイドレール１０ｂ及び上部おもり用ガイドレール１１ｂとの間に張り巡らせておくと良い。また、作業床１２を安定させるために作業床１２上の適当な位置にバランスウエイト２２を配置すると良い。更にまた、作業床１２とともに昇降路上部に吊り上げられたエレベータ上部機器は、これを昇降路上部に配置した時に、吊りビーム１４の上端部に設けられた天井ストッパーを兼ねた調整ボルト２１を、天井部２に当接させることにより、作業床１２に作業員が乗り込んだ際にも作業床１２が傾かないように仮固定する。また、その後、上部かご用ガイドレール１０ｂ及び上部おもり用ガイドレール１１ｂは、それぞれの上部ガイドレール取り付けブラケットにより、昇降路壁上部に固定されるので、エレベータ上部機器である、吊りビーム１４、返し車取り付け用梁１５、返し車１７も同時に固定される。
【００１２】
これにより、昇降路最上部に設置する個々のエレベータ上部機器を、わざわざ最上階へ持ち上げるという手間が不要であるとともに、エレベータ上部機器を予め昇降路最下部で組立てるので、危険性が少なく安心して作業ができる。また、昇降路最上部へ吊り上げた上部機器は、昇降路下部で予め設計基準で組立てるので、吊りビームを昇降路上部の所定位置へ固定するという簡単な作業で良く、不安定な最上階で個々の芯出し作業が不要であり、全体の作業時間が短縮できる。また、最上階での作業足場構築が不要となり、工事の安全性も大幅に向上する。
【図面の簡単な説明】
【００１３】
【図１】この発明の実施の形態１におけるエレベータ上部機器を昇降路最下部で組立てている状態を示す側面図である。
【図２】この発明の実施の形態１におけるエレベータ上部機器を昇降路最上部に吊り上げた状態を示す側面図である。
【図３】この発明の実施の形態１におけるエレベータ上部機器を昇降路最上部で組立てている状態を示す側面図である。
【図４】この発明の実施の形態１におけるエレベータ上部機器を昇降路最上部で組立てている状態を示す平面図である。
【図５】この発明の実施の形態１におけるエレベータ上部機器を昇降路最上部で組立てている状態を示す正面図である。
【符号の説明】
【００１４】
１  エレベータ昇降路
２  昇降路天井部
３  頂部フック
４  電動チェーンブロック
４ａ  上部フック
４ｂ  チェーン
４ｃ  下部フック
５  最上階  
６  最下階  
７  昇降路ピット
８  かご側ガイドレールバッファ台
９  おもり側ガイドレールバッファ台
１０ａ、１０ｂ  かご側ガイドレール
１１ａ、１１ｂ  おもり側ガイドレール
１２  作業床
１２ａ  作業床固定具
１２ｂ  作業床の安全柵  
１３  吊りロープ  
１４  吊りビーム
１５  返し車取り付け用梁
１６  吊りボルト
１７  返し車
１８  転倒防止用ロープ
１９  支柱
２０  支持腕
２０ａ  フック  
２１  天井ストッパーを兼ねる調整ボルト  
２２  バランスウエイト
【図１】
2005187119.tif 000003
【図２】
2005187119.tif 000004
【図３】
2005187119.tif 000005
【図４】
2005187119.tif 000006
【図５】
2005187119.tif 000007